【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
打ち揚げ対象となる花火玉の外径寸法より僅かに大きな内径寸法とした打揚げ煙火用の打揚げ筒本体と、該打揚げ筒本体の下端を、当該花火玉の外周半径より十分に大きな同心曲率半径で凹球面状の発射薬受け皿型隔壁によって閉塞する筒底部とからなり、該筒底部上面の花火玉主導火線が配置される中央付近よりも外周寄りであって、該打揚げ筒本体内に装填される花火玉下側球面の均衡する三箇所に相当する位置に、当該花火玉下側球面を同発射薬受け皿型隔壁上に浮上状に支持可能な高さの突起部が突設、一体化されてなるものとしたことを特徴とする打揚げ煙火用打揚げ筒。
【請求項２】
打ち揚げ対象となる花火玉の外径寸法より僅かに大きな内径寸法とした打揚げ煙火用の打揚げ筒本体と、該打揚げ筒本体の下端を、当該花火玉の外周半径より十分に大きな同心曲率半径で凹球面状の発射薬受け皿型隔壁によって閉塞する筒底部とからなり、該筒底部上面の花火玉主導火線が配置される中央付近よりも外周寄りであって、該打揚げ筒本体内に装填される花火玉下側球面の均衡する三箇所に相当する位置に、当該花火玉下側球面を同発射薬受け皿型隔壁上に浮上状に支持可能な高さの突起部が突設、一体化され、花火玉から下向きに突出する主導火線を、同発射薬受け皿型隔壁上中央に装填した発射薬に重合状に接する如く、当該花火玉下側球面を同発射薬受け皿型隔壁上に載置し得るようにしてなるものとしたことを特徴とする打揚げ煙火用打揚げ筒。
【請求項３】
各突起部は、打揚げ筒本体内に充填される花火玉の、主導火線が配される中央付近を除く下側球面形に沿って当接、支持可能な曲率をもつ曲線状支持縁を有した縦型凸条からなる、請求項１または２何れか一項記載の打揚げ煙火用打揚げ筒。
【請求項４】
各突起部は、打揚げ筒本体内に充填される花火玉の、主導火線が配される中央付近を除く下側球面形を点状に支持可能とする上向き球面型に形成されてなるものとした、請求項１または２何れか一項記載の打揚げ煙火用打揚げ筒。                                                    
【手続補正２】
【補正対象書類名】明細書
【補正対象項目名】全文
【補正方法】変更
【補正の内容】
【発明の詳細な説明】
【発明の名称】打揚げ煙火用打揚げ筒
【技術分野】
【０００１】
この発明は、打揚げ煙火の打揚げに用いる打揚げ筒に関連するあらゆる分野をその技術分野とするものであり、特に打揚げ筒の製造、提供、販売、利用に関する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                            
【背景技術】
【０００２】
我が国の伝統的な煙火は、花火玉が上空で二つに開く、所謂割物と称されるもので球形状の外観に仕上げられているのが特徴となっており、この花火玉の下方から直径５ｍｍ程度の主導火線（親導＝おやみち）の着火端が長さ１０ｍｍ程度に突出してあり、該主導火線の他端がわは花火玉の中心に到達するよう装着されている。
打揚げのときには、地上に確りと所定の姿勢に設置された打揚げ筒内に、適量の黒色火薬を先に、主導火線の突出部を下向きとした花火玉を、その後に順次装填して適宜着火手段によって黒色火薬に点火し、その爆発的燃焼によって花火玉を上空まで打ち揚げると同時に主導火線に点火し、主導火線内部を進む燃焼が、同花火玉の中心部に到達すると、中心部の周りに配してある割り薬に引火し、それら割り薬が爆発することにより、花火玉の外側に配してある色とりどりの炎や火の粉を発する星が四方八方に開発（飛散）し、美しい花火の打揚げとなる。
【０００３】
こうした球形状の花火玉の打ち揚げに用いられる打揚げ筒の基本的な形状としては、例えば特開平１０−２７００号公報に開示された「花火筒の構造」発明のように、円筒状の打揚げ筒本体の底部に、天面が平面状の底止め板を装着、一体化したものや、特開平１１−４８３６８号公報の「強化プラスチック製打ち上げ花火筒とその製作方法」発明に示されたように、円筒状の打揚げ筒本体の底部に、天面球形凹面状の円板底を形成したものなどが知られている。                                                                                                                          
【特許文献１】（１）特開平１０−２７００号公報    （２）特開平１１−４８３６８号公報
【発明の開示】
【発明が解決しようとする課題】
【０００４】
こうした従来の打揚げ煙火（花火）の打揚げに用いられる、図５の従来の打揚げ筒要部の縦断面図中に示す打揚げ煙火用打揚げ筒１は、その底面３の形状が平面形であるか、または、図示していないが球面形凹面状に形成されたものかの何れかであったが、こうした平面形か、または球面形凹面形状かの何れかからなる、打揚げ煙火用打揚げ筒底面の形状では、筒上部の筒口より花火玉を装填したときに、花火玉から突出している主導火線部分が、直接打上げ筒底面に衝突して該主導火線部分が折れたり、潰れたりして損傷してしまうことがあり、これによって主導火線の必要長さが不足してしまい、主導火線の燃焼伝達時間が早まり、花火玉の低空開発や、筒内部での開発などの危険な事故を惹起する虞れがあった。
【０００５】
そこで、この発明は、花火玉を打揚げ筒に充填したときに、主導火線に損傷を与えずに保護することができ、花火玉の低空開発や、筒内部での開発などの危険な事故を確実に防止することができる球形状花火玉用の新たな打揚げ技術の開発はできないものかとの判断から、逸速くその開発、研究に着手し、長期に渡る試行錯誤と幾多の試作、実験とを繰り返してきた結果、今回、遂に新規な構造の打揚げ煙火用打揚げ筒を実現化することに成功したものであり、以下では、図面に示すこの発明を代表する実施例と共に、その構成を詳述することとする。                                                                  
【課題を解決するための手段】
【０００６】
図面に示すこの発明を代表する実施例からも明確に理解されるように、この発明の打揚げ煙火用打揚げ筒は、上記のような課題を解決するために、基本的に次のような構成から成り立っている。
即ち、    打ち揚げ対象となる花火玉の外径寸法より僅かに大きな内径寸法とした打揚げ煙火用の打揚げ筒本体と、該打揚げ筒本体の下端を、当該花火玉の外周半径より十分に大きな同心曲率半径で凹球面状の発射薬受け皿型隔壁によって閉塞する筒底部とからなり、該筒底部上面の花火玉主導火線が配置される中央付近よりも外周寄りであって、該打揚げ筒本体内に装填される花火玉下側球面の均衡する三箇所に相当する位置に、当該花火玉下側球面を同発射薬受け皿型隔壁上に浮上状に支持可能な高さの突起部が突設、一体化されてなるものとした構成を要旨とする打揚げ煙火用打揚げ筒である。
【０００７】
これを換言すると、打ち揚げ対象となる花火玉の外径寸法より僅かに大きな内径寸法とした打揚げ煙火用の打揚げ筒本体と、該打揚げ筒本体の下端を、当該花火玉の外周半径より十分に大きな同心曲率半径で凹球面状の発射薬受け皿型隔壁によって閉塞する筒底部とからなり、該筒底部上面の花火玉主導火線が配置される中央付近よりも外周寄りであって、該打揚げ筒本体内に装填される花火玉下側球面の均衡する三箇所に相当する位置に、当該花火玉下側球面を同発射薬受け皿型隔壁上に浮上状に支持可能な高さの突起部が突設、一体化され、花火玉から下向きに突出する主導火線を、同発射薬受け皿型隔壁上中央に装填した発射薬に重合状に接する如く、当該花火玉下側球面を同発射薬受け皿型隔壁上に載置し得るようにしてなるものとした打揚げ煙火用打揚げ筒となる。                                                          
【発明の効果】
【０００８】
以上のとおり、この発明の打揚げ煙火用打揚げ筒によれば、打ち揚げ対象となる花火玉の外径寸法より僅かに大きな内径寸法に設定された打揚げ煙火用の打揚げ筒本体と、該打揚げ筒本体の下端を、概略平面状または当該花火玉の外周半径より十分に大きな同心曲率半径で凹球面状の発射薬受け皿型隔壁を有して閉塞する筒底部とからなり、該筒底部上面の花火玉主導火線が配置される中央付近よりも外周寄りであって、該打揚げ筒本体内に充填される花火玉下側球面の三箇所に、該花火玉から下向き突出する主導火線を同花火玉の充填に先立ち、発射薬受け皿型隔壁上中央に装填される発射薬に重合状に接する如く、当該花火玉下側球面を同発射薬受け皿型隔壁上に浮上、支持可能な高さの突起部が突設、一体化されてなるものとし、花火玉を打揚げ筒本体内に充填したとき、該花火玉の下がわ面であって、下面中央に突出した主導火線の周囲となる三箇所に夫々配設してある突起部が、同花火玉の主導火線を、筒底部上に僅かに浮かせた状態に支持し、打揚げ筒本体内面壁が、花火玉の転がりを阻止して安定、保持することが可能となり、該主導火線が、花火玉の荷重を直接受けて当該筒底部上面に接触するのを阻止し、主導火線の致命的、損傷の発生を確実に防ぐことができ、花火玉の低空開発や、筒内部での開発などの危険な事故を未然に防止できるという秀れた効果を発揮するものとなる。
【０００９】
当該突起部を、筒底部発射薬受け皿型隔壁の、花火玉を打揚げ筒本体内に充填したときに、該花火玉の下がわ面中央に突出した主導火線の周囲となる均衡する三箇所に夫々配してあり、同花火玉を、打揚げ筒本体内面壁に接触させることなく、各突起部だけで安定的に支持することができ、当該筒底部上面への接触によって主導火線に致命的損傷が発生するのを確実に防ぐことができ、該花火玉を打揚げ筒本体内に同心状に配置させ、発射薬燃焼による発射圧力を均質化可能とし、より精確な打揚げ筒内、弾道を得ることができ、花火玉の低空開発や、筒内部での開発などを、より確実に阻止できるものとなる。
【００１０】
加えて、当該筒底部を、打揚げ筒本体内に装填した花火玉の外周、半径より十分に大きな同心曲率半径で凹球面状とした発射薬受け皿型隔壁によって形成されたものとし、打揚げ前に予め打揚げ筒本体内筒底部上に装填することとなる定量の粒状、黒色火薬（発射薬）が、自動的に発射薬受け皿型隔壁の中央に集合するようにして、花火玉充填のときに主導火線に加わる衝撃力を緩衝し、破損を防止することができ、しかも打揚げのときに、凹球面状の発射薬受け皿型隔壁中央付近に集合状となった黒色火薬（発射薬）に適宜手段によって点火すると、中央で最も強い燃焼が得られ、花火玉の下側球面に均等な発射圧力が加わわって打揚げ筒本体の中心を逸れることなく、より安定した発射、弾道の打揚げを実現化することができる。
【００１１】
また、筒底部上面に突設した突起部が、打揚げ筒本体内に装填した花火玉主導火線の配される中央付近よりも外周寄りであって、同打揚げ筒本体内の花火玉下側球面の均衡する複数、例えば三箇所に、該花火玉から下向き突出する主導火線を、同花火玉の充填に先立ち、該発射薬受け皿型隔壁上中央に充填される発射薬に重合状となるよう接しさせ、当該花火玉下側球面を同発射薬受け皿型隔壁上に浮上、支持可能な高さとするよう突設、一体化したものとしてあり、突起部を三箇所に留めて筒底部構造の複雑化を避け、製造効率と耐久性とを向上したものとすることができ、軽量で取扱いが容易な上、花火玉が打揚げ筒本体内に同心状に充填され、打揚げ筒内発射、弾道の精度を格段に向上可能な打揚げ煙火用打揚げ筒を提供することができる。
【００１２】
さらに、各突起部を、打揚げ筒本体内に装填される花火玉主導火線の位置する中央付近を除いた下側球面形に沿って当接、支持可能な曲率をもつ曲線状支持縁を有した縦型凸条からなるものの場合、花火玉の下側球面を支持する突起部の接触面積を拡大し、打揚げ筒本体内に充填するときに花火玉に加わる集中的荷重を拡散可能として花火玉自体を保護し、より確実に損傷を防止することができ、各突起部の縦型凸条、曲線状支持縁が、花火玉の射出方向に平行状に向けられたものとしてあって発射摩擦を軽減し、安全且つ安定した打揚げを実現化することができ、また、各突起部が、打揚げ筒本体内に充填する花火玉の主導火線が位置する中央付近を除いた下側球面形を点状に支持可能とする上向き球面型に形成されてなるものでは、装填した花火玉の下側球面を安定的に支持し、しかも複数の点だけで支持する低摩擦支持構造となって発射摩擦をより軽減し、一段と安全且つ安定した打揚げを可能にするという効果が得られる。                                                                                    
【発明を実施するための最良の形態】
【００１３】
上記したとおりの構成からなるこの発明の実施に際し、その最良もしくは望ましい形態について説明を加えることにする。
打揚げ筒本体は、打揚げ対象となる花火玉を充填可能であって、その打揚げに伴って生ずる衝撃的、圧力に耐えて該花火玉の打揚げ弾道を、所望の方向に誘導可能とする機能を果たすものであり、充填可能とするよう対象花火玉の外径を僅かに上回る内径寸法に設定され、十分な発射圧力を花火玉に伝達でき、打揚げ方向へ向けて直線的に誘導可能とする形状、寸法とし、且つ、十分な強度を有するものとしなければならず、運搬や設置が容易な適度に軽量化されたものとするのが望ましく、より具体的には、厚紙製のものとすることが可能であるが、耐久性を求める場合には、合成樹脂製、ＧＦＲＰやＣＦＲＰなどの繊維強化樹脂製、炭素鋼製またはステンレス鋼製等とするのが望ましい。
【００１４】
筒底部は、打揚げ筒本体の下端を閉塞し、花火玉の装填と、打揚げのときに衝撃的に高まる筒内圧力とに耐えて当該打揚げ筒本体下端の密閉状態を維持可能とする機能を果たすものであって、花火玉打揚げ、点火用の黒色火薬の所定量を収容可能とする発射薬受け皿型隔壁と、該発射薬受け皿型隔壁より主導火線を僅かに浮かせた状態に花火玉の下側球状面壁を安定的に支持するようにしいた装填を可能にする突起部とが形成されたものとしなければならず、前記打揚げ筒本体と同様に、厚紙製、合成樹脂製、繊維強化樹脂製、炭素鋼製またはステンレス鋼製等とすることができる。
【００１５】
発射薬受け皿型隔壁は、の下端に、所定量の黒色火薬を収容、可能とすると共に、花火玉の打揚げのときに、該黒色火薬が燃焼して発生する衝撃的な圧力を、打揚げ筒本体内に封じ込めて効率的に花火玉を打揚げ、可能とする機能を果たし、花火玉の下側球面の均衡する二以上の複数箇所に、該花火玉から下向き突出する主導火線を、同花火玉の充填に先立ち、該発射薬受け皿型隔壁上中央に装填される発射薬に重合状に接する如く、該花火玉下側球面を、同発射薬受け皿型隔壁上に浮上、支持可能な高さの突起部が突設、一体化されてなるものとしなければならず、該打揚げ筒本体内に面する天面を、平面状とすることができるが、充填された花火玉の下がわ球面を、囲む凹球面状に形成されたものとするのが望ましい。
【００１６】
突起部は、打揚げ筒本体内に充填された花火玉の、下向き突出状とされた主導火線の周囲であって、該花火玉の下側球面の三箇所を、先に供給された黒色火薬（発射薬）に主導火線の先端が点火可能に接する高さに安定に支持可能とする機能を果たし、当該花火玉の下側球面の複数箇所、例えば三箇所か、または、同花火玉の下側球面の均衡する複数箇所、例えば三箇所かの何れかを支持可能であり、花火玉への接触部分を、同花火玉に傷を付けない程度に滑らかな曲面状、または十分な支持面積が確保されたものとしなければならず、打揚げ筒本体と同様に、厚紙製、合成樹脂製、繊維強化樹脂製、炭素鋼製またはステンレス鋼製等とすることができ、発射薬受け皿型隔壁に対して一体形成されたもの、あるいは、別体に形成されて組み合わせられたものなどとすることが可能であり、より具体的には、打揚げ筒本体内に充填される花火玉の主導火線が配される中央付近を除く下側球面形に沿って当接、支持可能な曲率をもつ曲線状支持縁を有した縦型凸条からなるものとしたり、打揚げ筒本体内に充填される花火玉の主導火線が配される中央付近を除く下側球面形を点状に支持可能とする上向き球面型に形成されてなるものとするなどとすることが可能である。
以下では、図面に示すこの発明を代表する実施例と共に、その構造について詳述することとする。
【００１７】
（実施例１）
図１の打揚げ煙火用打揚げ筒の平面図、図２の打揚げ煙火用打揚げ筒要部の縦断面図、図３の花火玉を充填した打揚げ煙火用打揚げ筒要部の縦断面図、および、図４の筒底部突起部の形状を変更した打揚げ煙火用打揚げ筒要部の縦断面図に示される事例は、打ち揚げ対象となる花火玉４の外径寸法より僅かに大きな内径寸法に設定された打揚げ煙火用の打揚げ筒本体２と、該打揚げ筒本体２の下端を、当該花火玉４の外周半径より十分に大きな同心曲率半径で凹球面状の発射薬受け皿型隔壁３１を有して閉塞する筒底部３とからなり、該筒底部３上面の花火玉４主導火線４１が配置される中央付近よりも外周寄りで、当該打揚げ筒本体２内に装填する花火玉４下側球面の均衡する三箇所に、該花火玉４から下向き突出する主導火線４１を同花火玉４の装填に先立ち、当該発射薬受け皿型隔壁３１上中央に装填される発射薬５に重合状に接する如く、該花火玉４下側球面を、同発射薬受け皿型隔壁３１上に浮上、載置な可能な高さの突起部３２，３２，３２が突設、一体化されてなるようにした、この発明の打揚げ煙火用打揚げ筒における代表的な一実施例を示すものである。
【００１８】
当該打揚げ煙火用打揚げ筒１は、図１ないし図３中に示すように、打ち揚げの対象となる花火玉４の外径寸法より僅かに大きな内径寸法と、同花火玉４の理想的な打揚げ弾道が得られる適切な長さ寸法とに設定した紙製または合成樹脂製の円筒管からなる打揚げ筒本体２と、その下端縁内周壁に、当該花火玉４の外周半径より十分に大きな曲率半径に設定され、図２中に示す打揚げ筒本体２の中心に、その曲率中心が一致する凹球面状に形成された発射薬受け皿型隔壁３１を有し、短尺円筒形に形成された外周壁を嵌合し、接着、リベット、ボルト・ナットなどによる一般的な結合構造により、閉塞状且つ強固に一体化された合成樹脂製の筒底部３とからなり、該筒底部３は、打揚げ筒本体２の上端開口を通じて充填する花火玉４下面の中央配置とした主導火線４１が配置される中央付近よりも外周寄りであって、同花火玉４下側球面の周回り方向、１２０°置き毎となる均衡する三箇所、夫々に当該花火玉４から下向き突出する主導火線４１を、同花火玉４の充填に先立って発射薬受け皿型隔壁３１上中央に装填される黒色火薬（発射薬）５に重合状に接する如く、同花火玉４下側球面を同発射薬受け皿型隔壁３１上に浮上、載置可能な高さの突起部３２，３２，３２が突設、一体化してある。
【００１９】
そして、各突起部３２，３２，３２は、図１ないし図３中に示すように、打揚げ筒本体２内に装填する花火玉４の主導火線４１が配される中央付近を除く下側球面形に沿って接合、支持可能な曲率をもつ曲線状支持縁３３，３３，３３を有する縦型凸条３２，３２，３２に形成してある。
【００２０】
また、当該突起部３２，３２，３２は、図４中に示すように、ステンレス鋼板をプレス成型することによって筒底部３を製造し、当該打揚げ筒本体２内に装填する花火玉４（図示せず）の、主導火線４１（同じく図示せず）が配される中央付近を除く下側球面形の周回り方向、１２０°置き毎となる均衡する三箇所を、夫々点状に支持可能とする上向き球面型に形成することも可能である。
【００２１】
（実施例の作用）
以上のとおりの構成からなるこの発明の打揚げ煙火用打揚げ筒１は、打揚げ地点に所定姿勢に設置した後、打揚げ筒本体２の上端開口を通じて適量の黒色火薬（発射薬）５を装填すると、図３中に示すように、該黒色火薬５が、発射薬受け皿型隔壁３１の打揚げ筒本体２に同心となる凹球面状に形成された上面に誘導され、自動的に筒底部３の中央付近に集合状となり、同黒色火薬５の偏り状の配置を阻止するものとなる。
【００２２】
続いて、打揚げ筒本体２の上端開口を通じ、図３中に示すよう、花火玉４を、その主導火線４１が中央下向きとなる姿勢で装填するようにすると、当該花火玉４主導火線４１周囲側となる下側球面の、周回り１２０°毎の配置となる均衡する三箇所夫々が、突起部（縦型凸条）３２，３２，３２の各曲線状支持縁３３，３３，３３上に載置状に安定支持され、しかも凹球面状の発射薬受け皿型隔壁３１と相俟って主導火線４１が直接筒底部３に接触するのを回避することが可能となり、さらに、発射薬受け皿型隔壁３１の中央付近に集合状となった黒色火薬（発射薬）５が、同花火玉４の充填、落下の衝撃を吸収し、主導火線４１および花火玉４の損傷を未然に阻止することが可能となる。
【００２３】
（実施例の効果）
以上のような構成からなる実施例の打揚げ煙火用打揚げ筒１は、前記この発明の効果の項で記載の特徴に加え、図１ないし図３中に示したように、紙製または合成樹脂製の打揚げ筒本体２と、それとは別の製造工程によって製作された合成樹脂製の筒底部３とを、組み合わせたものとし、両者を一体の合成樹脂成型品として製造する場合に比較して、その製造コストを大幅に削減し、効率的な生産を可能とすることができる。
【００２４】
また、当該実施例の図１ないし図４に示した、各打揚げ煙火用打揚げ筒１，１は、何れの筒底部３，３も、発射薬受け皿型隔壁３１と複数の突起部３２，３２，３２とを有するものとし、図５中に示した従来型のものに比較して形状が複雑化されているが、合成樹脂成型品とするか、または、金属板をプレス成形したものかの何れかとすることにより、量産性を高め、効率的な製造を実現化することができる。
【００２５】
（結  び）
叙述の如く、この発明の打揚げ煙火用打揚げ筒は、その新規な構成によって所期の目的を遍く達成可能とするものであり、しかも製造も容易で、従前からの煙火用打揚げ筒と同等程度の価格に設定することが可能である上、花火玉の低空開発や、筒内部での開発などの危険な事故を未然に防ぎ、煙火打揚げ作業を格段に安全なものとすることができ、より安全で適正な発射、軌道の安定的実現化を望む煙火業界には勿論、美しい花火を安全に鑑賞したいと希望する関係各所においても高く評価され、広範に渡って利用、普及していくものになると予想される。                                                          
【図面の簡単な説明】
【００２６】
【図１】打揚げ煙火用打揚げ筒を示す平面図である。
【図２】断面化された打揚げ煙火用打揚げ筒要部を示す正面図である。
【図３】花火玉を充填した打揚げ煙火用打揚げ筒要部を断面化して示す正面図である。
【図４】突起部を変更した打揚げ煙火用打揚げ筒要部を断面化して示す正面図である。
【図５】断面化された従来型の要部を示す正面図である。
【符号の説明】
【００２７】
１      打揚げ煙火用打揚げ筒
２      打揚げ筒本体
３      筒底部
３１    同  発射薬受け皿型隔壁
３２    同  突起部
３３    同  曲線状支持縁
４      花火玉
４１    同  主導火線（親導）
５      黒色火薬（発射薬）